(57)【要約】【課題】潜水時の頭部を保護する、潜水用保護帽付き潜水用フードを提供する。【解決手段】帽体（１）に排出孔（２）を設ける。帽体（１）内側には固定用の面ファスナー（３）のメスを取り付け、潜水用フード（４）の頭部に緩衝材（６）と面ファスナー（３）のオスを取り付け、空気排出用の排気弁（５）を設ける。帽体（１）と潜水用フード（４）は面ファスナー（３）のオスとメスにより固定することで着脱可能であり、水流や水抵抗にも影響を及ぼさない形状及び構成である。【選択図】　　　　図２
2004026122.tif 000002
【特許請求の範囲】
【請求項１】
潜水用フードと、この潜水用フード頭部に設けられた緩衝材と、前記潜水用フード上を覆う潜水用保護帽とにより構成され、前記潜水用保護帽とで構成された保護機能付き潜水フード。
【請求項２】
潜水用保護帽に、潜水用フード及び帽体に溜まった空気を外部に排出させるための排気機能を設けたことを特徴とする請求項１記載の保護機能付き潜水フード。
【請求項３】
潜水用保護帽は着脱機能により着脱可能となっていることを特徴とする請求項１又は２記載の保護機能付き潜水フード。
【発明の詳細な説明】
【０００１】
【発明の属する技術分野】
この発明は、作業・レジャー等の潜水行為にたいして、潜水夫の危険を防止して、安全を向上するものである。
【０００２】
【従来の技術】
従来、作業潜水するときは、頭部保護から年間を通してネオプレーンゴム製の潜水用フードをかぶって潜水していた。陸上作業用の保護帽では潜水という浮力・水圧・水流等、物理学的に特種な影響をうける環境下では不安定で、かえって危険で使用できないからである。一部の潜水夫は帽体にアゴバンドを有し、そのバンドで固定する乗車用保護帽をかぶるケースもある。
【０００３】
【発明が解決しようとする課題】
これは、次のような欠点があった。
イ、　ネオプレーンゴム製のフードは、多少の頭部接触くらいは保護できても、水中落下物や構造物または岩礁等への頭部衝撃時は保護の役目を果たさな
かった。
ロ、　水中では、たえず特種で予知できない危険にさらされており、乗車用保護帽を使用した場合、緊急時の脱出時に取り外すことが困難で、かえって危険を発生させる原因であった。
ハ、　潜水では、水中マスク及びそのバンドの顔や後頭部への固定が重要である。しかし、乗車用保護帽では水中マスクを安定した状態で装着できなかった。
ニ、　従来の保護帽は重力のある陸上で使用することを前提に作られており、浮力のある水中ではアゴひもがあることにより、首をしめつける事があり、とても危険だった。
【０００４】
【課順を解決するための手段】
帽体（１）に排出孔（２）を設ける。帽体（１）内側には固定用の面ファスナー（３）を取り付け、潜水用フード（４）頭部に緩衝材（６）と前記記載の帽体（１）を固定する面ファスナー（３）を縫い付け、空気排出用の排気弁（５）を設ける。帽体（１）と潜水用フード（４）は面ファスナー（３）により固定でき、また着脱可能である。そのため、従来の潜水フードに水中マスクを優先装着した後に保護帽を頭部に覆い取り付けることで解決できる。
本発明は、以上の構成よりなる保護機能付き潜水フードである。
【０００５】
【発明の実施の形態】
以下、本発明第１の実施の形態を説明する。
本発明の構成は図７を利用して説明する。頭部を覆う潜水用フード（４）、このフードには面ファスナー（３）のオスと上部に空気抜けの孔を設けてある。その孔を塞ぐように排気弁（５）を設け、この排気弁（５）は片側のみ固定する。
この潜水用フード（４）の頭部には前記記載の排気弁（５）周りをカットした穴空き円形状の緩衝材（６）を設ける。緩衝材（６）は、特公平０６−０２５３０４にあげられるような液状ゲルに発泡材と特種添加剤を混ぜて固まらせた特種工法で製造したシート状の緩衝材等があげられる。更には水圧による圧縮及び歪が少なく耐候性に優れた材質で硬度も最適な硬さに調整ができるものが望ましい。
更に、浮力を押える為に比重を増したものが理想である。この形状は前項記載の通り排気弁（５）に余裕を持って排気弁（５）の周りをカットした穴空き円形状である。この緩衝材（６）を覆う一回り大きい同等形状のジャージ（７）で潜水用フード（４）に固定する。このジャージは繊維素材であり潜水用保護帽のネオプレーンゴム製の表面に貼られているもの等である。前記記載の構成部品の上部を硬質材でできた帽体（１）が覆う形で取り付ける。図５は本発明の平面図であり図６は帽体（１）をとった状態の断面図である。潜水用フード（４）上部の孔上に排気弁（５）が設けられている。この排気弁は緩衝材（６）の切り抜かれた円形如に一辺が固定されるように取り付けられている。図５に示すように帽体（１）の頭部頂点位置に排出孔（２）が設けてある。潜水用フード（４）内、又、帽体（１）内に溜まった空気は上記で構成する孔、排気弁（５）を通って、排出孔（２）から排出する機構になっている。この帽体（１）内側には、前記記載の潜水用フード（４）に取り付けられた面ファスナー（３）のオスと、同じ場所に面ファスナー（３）のメスを設け、帽体（１）を着装した時に面ファスナー（３）のオスとメスにより固定する。本発明は以上の構成よりなる。
本発明の作用また使用方法について説明する。
（イ）図２に示すように帽体（１）は、水中マスク及びそのバンドを着装した際に顔から側頭部を通り後頭部に接する位置までを干渉しない形状であり、水中マスクよりそのバンドまでを覆い保護する形状をしているのが特徴である。これについては、潜水夫は水中でさまざまなケースにより水中マスクの脱着が必要になる。その際に前記説明の水中マスクからそのバンドまでを干渉しない形状が特徴である。
（ロ）図１及び図６に示すように、潜水用フード（４）内部に空気が溜まった場合空気は浮力により押し上げられ潜水用フードの孔から排出される。排出した空気は排気弁（５）を押し上げ潜水用フード（４）から抜け出す。通常時排気弁（５）は外部より水圧により押え付けられ水の浸入はない。排出された空気は帽体（１）内に移動して、帽体（１）の排出孔（２）を通って外部に排出される。これにより、潜水夫が呼吸のたびに排出する圧縮空気が潜水用フード（４）及び帽体（１）に溜まって、浮力を発生させる事を防止する。潜水フード内に進入した僅かな空気も、水深が浅くなればボイルの法則により膨張し、浮力が増大し潜水用フード（４）を持ち上げる結果になる。それを防止するために、上記記載の一連の排気機構を設けるのが特徴である。
（ハ）潜水夫は潜降時、浮上時にも水の抵抗を受けるが、その際に、帽体内に水の抵抗を受けると潜水夫の首にストレスがかかり危険である。図１で示すように潜水用フード（４）と帽体（１）は前頭部と側面の複数の面ファスナー（３）で直接固定するため、図２に示すように前頭部及び側頭部に隙間は少ない。そのため潜水用フード（４）と帽体（１）の隙間から水流入による水の抵抗を受けにくいのが特徴である。また、従来の保護帽のようにアゴひもで固定すると、水中での浮力の作用によりアゴひもが首にしまり大変危険である。本発明では潜水用フード（４）と帽体（１）が一体型であり帽体（１）が安定するのが特徴である。
以下、その他の実施の形態として、緩衝材の各種取り付け方法について説明する。
一つに、緩衝材（６）を潜水フード（４）に取り付けるのではなく、図８及び図９で示すように、帽体（１）内側内部に緩衝材（６）を直接、接着方法等により取り付けることが可能である。
又、緩衝材表面に裂傷防止シート材を設け、潜水用フード頭部に設けることも可能である。この際は帽体（１）がなくても緩衝材（６）の裂傷を防ぐことができる。又、裂傷防止シート材の代わりに柔軟な、厚みの薄い硬質材を用いることも可能である。
更に、特許番号３２４３６９９の特殊工法等を用いる技術で、布地や人工皮革の上にゴム状突起物を成型できる技術により特殊シートを潜水用フードの頭部に設けることにより、裂傷防止シート材の代わりになることが可能である。又、これを応用し特種印刷技術、又は、接着工法、更に縫い付け等により、ゴム材或いは硬度のある材質を突出した形で直接、潜水用フードに設けることも可能である。
【０００６】
【発明の効果】
本発明を使用することによって、潜水という特種な状況下で違和感無く保護帽を使用することができ、頭部に受ける衝撃等から危険を防止もしくは軽減することができる。
又、本発明の帽体（１）着脱機構により、潜水夫が潜水中帽体に水中マスクバンド及び、ロープ等なんらかの障害物が絡んだ場合にも、着脱できることにより事故を回避できることが特徴である。
更に、潜水用フード（４）頭部頂点の孔より排気弁（５）及び帽体（１）頂点の排出孔（２）を同位置に設けることにより、潜水用フード（４）内と帽体（１）内に溜まった空気は外部に排出される。このことにより浮力の影響で潜水フード等が持ち上がることを防止できる。
【図面の簡単な説明】
【図１】本発明の潜水用フードを装着した状態の側面図
【図２】本発明の帽体を固定した状態の側面図
【図３】本発明の平面図
【図４】本発明の潜水フード断面図
【図５】本発明のＡ−Ａ’断面図
【図６】本発明の帽体Ｂ−Ｂ’断面図
【図７】本発明の構成分解図
【図８】参考帽体内側平面図
【図９】参考帽体Ｃ−Ｃ’断面図
【符号の説明】
１　帽体
２　排出孔
３　面ファスナー
４　潜水用フード
５　排気弁
６　緩衝材
７　ジャージ
【図１】
2004026122.tif 000003
【図２】
2004026122.tif 000004
【図３】
2004026122.tif 000005
【図４】
2004026122.tif 000006
【図５】
2004026122.tif 000007
【図６】
2004026122.tif 000008
【図７】
2004026122.tif 000009
【図８】
2004026122.tif 000010
【図９】
2004026122.tif 000011